(57)【要約】【課題】  洗浄用のホースをフロア下に格納できてフロアの見栄えの低下を防止しつつ、散水可能なフロアの洗濯機設置部分等の洗浄を簡単に行い得る洗面室ユニットのフロア構造を提供する。【解決手段】  洗面化粧台設置フロアと洗濯機設置フロアとを備え、両フロアが散水可能に形成された洗面室ユニットのフロア構造であって、洗濯機設置フロアの凹状の排水路内に、フロア洗浄用のホースを格納するホース格納部を設ける。ホース格納部は、排水口と床下点検口との間の排水路に設けられてシャワーヘッドを有するホースが予め接続された給水装置を備えたり、排水路の排水口より高い位置で床下点検口より低い位置に設けられる。【選択図】  図３
2005207048.tif 000002
【特許請求の範囲】
【請求項１】
底面に排水口と床下点検口が設けられた凹状の排水路を有して排水口上方に洗濯機が設置される洗濯機設置フロアと、該洗濯機設置フロアに連設されて洗面化粧台が設置される洗面化粧台設置フロアとを備え、前記両フロアが散水可能に形成された洗面室ユニットのフロア構造であって、
前記洗濯機設置フロアの排水路内に、フロア洗浄用のホースを格納するホース格納部を設けたことを特徴とする洗面室ユニットのフロア構造。
【請求項２】
前記ホース格納部は、排水口と床下点検口との間の排水路に設けられると共に散水用の給水装置を備え、該給水装置にヘッドを有するホースが接続された状態で格納されていることを特徴とする請求項１に記載の洗面室ユニットのフロア構造。
【請求項３】
前記ホース格納部は、排水路の排水口より高い位置で床下点検口より低い位置に設けられると共に、排水口に対して水勾配を有して設けられていることを特徴とする請求項１または２に記載の洗面室ユニットのフロア構造。
【請求項４】
前記ホース格納部は、洗濯機設置フロアの洗濯機設置部前方に着脱可能に配置される床部材を取り外した際に、フロア面に露出することを特徴とする請求項１ないし３のいずれかに記載の洗面室ユニットのフロア構造。
【請求項５】
前記床部材は、複数に分割形成され、その少なくとも一つが取り外された際に、ホース格納部がフロア面に露出することを特徴とする請求項４に記載の洗面室ユニットのフロア構造。
【請求項６】
前記ホース格納部は、巻回等されたホースを排水路の排水性能を損なわない状態で所定位置に保持するための保持部材を有することを特徴とする請求項１ないし５のいずれかに記載の洗面室ユニットのフロア構造。
【発明の詳細な説明】
【技術分野】
【０００１】
本発明は、内部に洗面化粧台や洗濯機等が設置される洗面室ユニットに係わり、特にフロアの洗浄が容易に行える洗面室ユニットのフロア構造に関する。
【背景技術】
【０００２】
従来、洗面室ユニットのフロアとしては、例えば特許文献１に開示されている。この洗面室ユニットのフロアは、洗濯機が設置される設置領域内に排水口を設け、この排水口を隠蔽するように設置領域に洗濯機を設置したままで着脱できる蓋部材を配置すると共に、この蓋部材と関連付けて取り外し可能な一対の簀の子を、排水口と連設状態で設けた床下点検口部分に着脱可能に配置したものである。
【特許文献１】特開２００３−１４７８２４号公報
【発明の開示】
【発明が解決しようとする課題】
【０００３】
しかしながら、このフロア構造にあっては、蓋部材の取り外しによって洗濯機を設置したままの状態で排水口周囲の清掃等が容易に行えるという利点は得られるものの、フロアの洗濯機設置部分等を洗浄しようとする場合に、市販のホースを洗面化粧台や洗濯機用の水栓金具に接続して行っているのが実情である。その結果、洗面室内にホースを収納する専用のスペースがないことから、ホース収納状態の見栄えが劣ると共に、洗浄時にホースを一々水栓金具に取り付ける必要があって、洗浄作業自体が面倒であるという問題点を有している。
【０００４】
本発明は、このような事情に鑑みてなされたもので、その目的は、洗浄用のホースをフロア下に格納できてフロアの見栄えの低下を防止しつつ、散水可能なフロアの洗濯機設置部分等の洗浄を簡単に行い得る洗面室ユニットのフロア構造を提供することにある。
【課題を解決するための手段】
【０００５】
かかる目的を達成すべく、本発明のうち請求項１に記載の発明は、底面に排水口と床下点検口が設けられた凹状の排水路を有して排水口上方に洗濯機が設置される洗濯機設置フロアと、該洗濯機設置フロアに連設されて洗面化粧台が設置される洗面化粧台設置フロアとを備え、前記両フロアが散水可能に形成された洗面室ユニットのフロア構造であって、前記洗濯機設置フロアの排水路内に、フロア洗浄用のホースを格納するホース格納部を設けたことを特徴とする。
【０００６】
そして、前記ホース格納部は、請求項２に記載の発明のように、排水口と床下点検口との間の排水路に設けられると共に散水用の給水装置を備え、該給水装置にヘッドを有するホースが接続された状態で格納されていることが好ましく、また、請求項３に記載の発明のように、排水路の排水口より高い位置で床下点検口より低い位置に設けられると共に、排水口に対して水勾配を有して設けられていることが好ましい。
【０００７】
また、前記ホース格納部は、請求項４に記載の発明のように、洗濯機設置フロアの洗濯機設置部前方に着脱可能に配置される蓋体を取り外した際に、フロア面に露出することが好ましく、この場合、前記蓋体は、請求項５に記載の発明のように、複数に分割形成され、その少なくとも一つが取り外された際に、ホース格納部がフロア面に露出することが好ましい。さらに、前記ホース格納部は、請求項６に記載の発明のように、巻回等されたホースを排水路の排水機能を損なわない状態で所定位置に保持するための保持部材を有することが好ましい。
【発明の効果】
【０００８】
本発明の請求項１に記載の発明によれば、洗濯機設置フロアに設けられる排水路内に、フロア洗浄用のホースを格納するホース格納部が設けられているため、洗浄用のホースを使用しない場合は、フロア下のホース格納部内に格納できてフロアの見栄え低下が防止されると共に、ホースを使用する場合は、ホース格納部から取り出してフロアを洗浄でき、洗濯機下等を含めたフロア全域の洗浄作業を簡単かつ効率的に行うことができる。
【０００９】
また、請求項２に記載の発明によれば、請求項１に記載の発明の効果に加え、排水路の排水口と床下点検口との間にホース格納部が設けられると共にその給水装置にヘッドを有するホースが接続されているため、予めホースが接続されている給水装置を操作することにより、ヘッドから散水してフロアを洗浄でき、洗浄作業を一層簡単に行うことができる。
【００１０】
また、請求項３に記載の発明によれば、請求項１または２に記載の発明の効果に加え、ホース格納部が排水口より高く点検口より低い位置に設けられると共に排水口に対して水勾配を有しているため、ホース格納部で生じた水を点検口側に進入させることなく排水口に良好に流して排水することができ、排水路の排水性能を所望に維持することができる。
【００１１】
また、請求項４に記載の発明によれば、請求項１ないし３に記載の発明の効果に加え、洗濯機設置フロアの洗濯機設置部前方の床部材を取り外した際に、ホース格納部がフロア面に露出するため、通常は床部材でホース格納部を隠蔽できて、フロアの見栄えの低下を確実に防止できると共に、床部材を取り外すことでホースを引き出して使用することができ、洗浄用のホースの使い勝手を向上させることができる。
【００１２】
また、請求項５に記載の発明によれば、請求項４に記載の発明の効果に加え、排水路を隠蔽する床部材が複数に分割されその少なくとも一つが取り外された際に、ホース格納部がフロア面に露出するため、所定の床部材を取り外すことで洗浄用のホースを引き出して使用でき、ホースの使い勝手を一層向上させることができる。
【００１３】
さらに、請求項６に記載の発明によれば、請求項１ないし５に記載の発明の効果に加え、ホース格納部に設けた保持部材により、巻回等されたホースを排水路の排水性能を損なわない状態で所定位置に保持できるため、格納されたホースが排水口方向に移動して排水口を塞ぐこと等がなくなると共に、ホースを格納した状態でも排水路の排水性能を所定に維持することができる。
【発明を実施するための最良の形態】
【００１４】
以下、本発明を実施するための最良の形態を図面に基づいて詳細に説明する。
図１〜図５は、本発明に係わるフロア構造を採用した洗面室ユニットの一実施形態を示し、図１が洗面室ユニットの内部斜視図、図２がその概略平面図、図３が図２のＡ−Ａ線に沿った分解斜視図、図４がその縦断面図、図５が図４のホース格納部の拡大図である。
【００１５】
図１及び図２において、洗面室ユニット１は、床面としてのフロア２と、このフロア２の周囲に立設された壁パネル３ａ〜３ｄと、壁パネル３ａ〜３ｄの上部に配置された天井パネル４によって箱形状に形成され、壁パネル３ａには浴室ユニット５への出入用のドア６が設けられ、壁パネル３ｃには洗面室ユニット１への出入用のドア７が設けられている。
【００１６】
また、フロア２は、例えばドア７側に洗面化粧台設置フロア２Ａ（以下、フロア２Ａという）が設けられると共に、ドア６側に洗濯機設置フロア２Ｂ（以下、フロア２Ｂという）が設けられ、これら両フロア２Ａ、２Ｂは樹脂成形品によって、その上面に散水可能に形成されている。そして、フロア２Ａの例えば窓８が設けられる壁パネル３ｂ側の上面には、洗面ボール１１、ミラー１２、収納部１３、照明装置１４及び収納棚１５等が組み込まれた洗面化粧台９が設置され、フロア２Ｂの壁パネル３ｂ側の上面には、洗濯機１０が設置されている。
【００１７】
前記フロア２Ｂは、壁パネル３ｂ側に設けられ洗濯機１０が載置される洗濯機設置部１７と、この洗濯機設置部１７の前方に着脱可能に配置された一対の簀の子状の床部材１８ａ、１８ｂと、洗濯機設置部１７と床部材１８ｂとの間に着脱可能に配置された蓋体１９等を備えている。すなわち、図３に示すように、フロア２Ｂには、洗濯機設置部１７の略中央部分に設けた平面視で長方形状の凹部１７ａから、この凹部１７ａの前方に設けられた床下点検口２０に向けて凹状の排水路２１が形成されている。
【００１８】
この排水路２１には、凹部１７ａに連接して蓋体１９が着脱される蓋体装着部２１ａが設けられている。また、この蓋体装着部２１ａの底面に排水トラップ２２ｂ（図４参照）が取り付けられた排水口２２が設けられ、そのエルボ２２ａが凹部１７ａ方向に指向して配置されて洗濯機１０の図示しない排水用のホースが接続されるようになっている。また、排水口２２の前方にはホース格納部２３が設けられ、このホース格納部２３に洗浄用ホース２４が例えばとぐろ状に巻回された状態で格納されている。さらに、排水路２１の蓋体装着部２１ａの前方には、床部材装着部２１ｂが設けられ、この床部材装着部２１ｂは、排水路２１の底面より一段高く形成され点検蓋３１で覆われた床下点検口２０部分において左右に分岐された状態とされている。
【００１９】
そして、排水路２１の底面は、図４及び図５に示すように、排水口２２部分が最深位置となるように、フロア２Ｂの前後方向である図４の矢印イ方向に沿って、全体として水勾配を有するように形成されている。この時、前記ホース格納部２３は、略水平状態に（もしくは若干の水勾配を有して）形成され、その所定位置には上方に所定寸法突出して先端に図示しない保持部を有する突起あるいは孔付き壁等からなるホース保持部２５が、底面に一体に形成されるかもしくは別体に形成されて底面に固着されることで一体化されている。
【００２０】
また、このホース格納部２３の前側の底面には、給水装置２６が取り付けられており、この給水装置２６の給水口２６ａには、先端にシャワーヘッド２７が接続された前記洗浄用ホース２４の基端部が接続されている。なお、洗浄用ホース２４は、後述する如く床部材１８ａ、１８ｂを床部材装着部２１ｂから取り外し、シャワーヘッド２７をフロア２Ｂ上に引き出した際に、該シャワーヘッド２７からの散水でフロア２Ａとフロア２Ｂの略全域を洗浄できる長さに設定されている。
【００２１】
そして、この洗浄用ホース２４をホース格納部２３に格納した際には、巻回状態の洗浄用ホース２４の所定位置（複数箇所）が、前記ホース保持部２５で保持止されて、洗浄用ホース２４が水勾配を有する排水路２１の底面に沿って排水口２２方向に滑って移動しないようになっている。
【００２２】
また、ホース格納部２３に設けられる給水装置２６には、略上方に突出した止水栓２６ｂが設けられ、この止水栓２６ｂを例えば回転操作することにより、給水装置２６に配管された図示しない給水管から供給される上水が洗浄用ホース２４のシャワーヘッド２７から吐水されてフロア２Ａ、２Ｂ上に散水されるようになっている。ところで、排水路２１の底面に設けられるホース格納部２３の給水装置２６の取付位置は、図５に示すように、前記排水口２２の位置に対して所定寸法Ｈ高い位置に設定されており、この寸法設定により、洗濯機１０からの排水の給水装置２６側への進入が阻止されると共に、給水装置２６使用後のシャワーヘッド２７から漏れる水や洗浄用ホース２４に付着した水等を排水口２２に効率的に流すことができるようになっている。
【００２３】
そして、ホース格納部２３の排水路２１内における形成位置は、その上部に前方の床部材１８ａの後端部が位置し、シャワーヘッド２７が後方の床部材１８ｂの前端部に若干隠れるように設定されている。これにより、後述する如く後方及び前方の床部材１８ｂ、１８ａをフロア２Ｂ上からそれぞれ取り外した際に、洗浄用ホース２４がフロア２Ｂ上に露出し、シャワーヘッド２７を引き出すことにより洗浄用ホース２４がフロア２Ｂ上に引き出されると共に、給水装置２６の止水栓２６ｂが操作可能となっている。
【００２４】
なお、前記床部材１８ａ、１８ｂは、図３に示すように、樹脂成形品によって上面に水切り用の溝を多数有する板状に形成され、この例では一対の床部材１８ａ、１８ｂのうち後方の床部材１８ｂの幅が前方の床部材１８ａの幅より狭く形成されている。また、この床部材１８ａ、１８ｂは、排水路２１の前記床部材装着部２１ｂに設けた凹部２８上に載置されることで、フロア２Ｂに着脱可能に配置されている。
【００２５】
また、前記蓋体１９は、樹脂成形品によって前後方向に段差を有する略板状に形成され、排水路２１の蓋体装着部２１ａの開口端部に設けた溝２９に上方から載置することにより着脱可能に配置されている。この時、蓋体１９には、フロア２Ｂに装着した際に、高さの低い前部が後方の床部材１８ｂの後方下部に入り込む状態になると共に、前部と後部の段差部分には上面に露出する状態で一対の指挿入凹部３０が形成されている。
【００２６】
そして、蓋体１９を排水路２１の蓋体装着部２１ａに装着すると共に一対の床部材１８ａ、１８ｂを蓋部材装着部２１ｂに装着すると、蓋体１９に設けた指挿入凹部３０がフロア２Ｂ上に露出して指の挿入が可能となり、装着状態の床部材１８ａ、１８ｂが取り外しできるようになっている。また、蓋体１９は床部材１８ａ、１８ｂを取り外した後に、前方に引っ張ることにより、設置状態の洗濯機１０の下面から取り除くことができて、例えば排水口２２部分の清掃等が行えるようになっている。
【００２７】
次に、このフロア２Ｂに設置されている洗浄用ホース２４の使用方法について説明する。先ず、洗浄用ホース２４を使用しない格納状態においては、洗浄用ホース２４がとぐろ状に巻回された状態で排水路２１に形成されたホース格納部２３に格納されている。この時、洗浄用ホース２４がホース保持部２５に保持されていることから、フロア２Ｂの振動等によって洗浄用ホース２４が水勾配を有する排水路２１の底面を滑ることもなく、所定の格納位置に保持される。
【００２８】
また、この格納状態において、ホース格納部２３の上面に床部材１８ａ、１８ｂが装着されていることから、洗浄用ホース２４をフロア２Ｂ下に確実に隠蔽することができて、洗浄用ホース２４がフロア２Ｂ上から視認されることがなく、フロア２Ｂに従来と変わりない見栄え（外観）が得られることになる。
【００２９】
一方、洗浄用ホース２４を使用してフロア２Ｂの表面（床面）を洗浄しようとする場合は、蓋体１９の指挿入凹部３０に指を挿入して後方の床部材１８ｂの後端部を上方に引っ張り、該床部材１８ｂを排水路２１上から取り外すと共に、後方の床部材１８ｂを取り外した後に前方の床部材１８ａを排水路２１上から取り外す。これにより、ホース格納部２３がフロア２Ｂ上に露出した状態となり、この状態でシャワーヘッド２７を手で持って、洗浄用ホース２４をフロア２Ｂ上に引き出す。
【００３０】
そして、ホース格納部２３の給水装置２６の止水栓２６ｂを操作して、シャワーヘッド２７からフロア２Ｂやフロア２Ａ上に散水し、例えば図４の二点鎖線で示すように、洗濯機１０の床面下に散水してフロア２Ｂを洗浄する。これにより、フロア２Ａ、２Ｂの全域に散水して洗浄することができて、清潔なフロア面とすることができる。なお、散水洗浄後は、洗浄ホース２４を巻回してホース保持部２５に保持させ、前後一対の床部材１８ａ、１８ｂを排水路２１の蓋部材装着部２１ｂに装着することで、洗浄用ホース２４が格納状態とされてフロア２の洗浄作業が完了することになる。
【００３１】
このように、上記実施形態のフロア２にあっては、フロア２Ｂに設けられる凹状の排水路２１内に、洗浄用ホース２４を格納するホース格納部２３が設けられているため、洗浄用ホース４を使用しない場合に、該ホース２４をフロア２Ｂ下のホース格納部２３内に格納できて、フロア２全体の見栄えの低下を防止することができると共に、洗浄用ホース２４を使用する場合に、ホース格納部２３から取り出してフロア２に散水して洗浄することができて、洗濯機１０下のフロア２Ｂを、洗濯機１０を移動等させることなく簡単に洗浄でき、フロア２の洗浄作業を効率的に行うことができる。
【００３２】
特に、排水路２１の排水口２２と床下点検口２０との間にホース格納部２３が設けられると共に、その給水装置２６にシャワーヘッド２７を有する洗浄用ホース２４が予め接続されていることから、洗浄用ホース２４をホース格納部２３から引き出して給水装置２６の止水栓２６ｂを回転操作することにより、シャワーヘッド２７から散水してフロア２を洗浄できて、洗浄作業が一層簡単に行えフロア２の表面を清潔に維持することが可能となる。
【００３３】
また、ホース格納部２３が排水口２２より高く床下点検口２０より低い位置に設けられると共に、排水口２２方向に所定の水勾配を有しているため、ホース格納部２３で生じた水等を床下点検口２０に進入させることなく排水トラップ２２ｂに良好に流して排水することができたり、洗濯機１０等からの排水の給水装置２６側への進入が確実に阻止されて、排水路２１の排水性能を所望に維持することが可能となる。
【００３４】
さらに、フロア２Ｂの洗濯機設置部１７の前方に装着される床部材１８ａ、１８ｂを取り外した際に、ホース格納部２３がフロア２Ｂ上に自動的に露出するため、通常は床部材１８ａ、１８ｂでホース格納部２３を確実に隠蔽することができて、フロア２の見栄えの低下を一層確実に防止できる。また、排水路２１が蓋体１９と床部材１８ａ、１８ｂとで隠蔽され、蓋体１９に設けた指挿入凹部３０で床部材１８ａ、１８ｂが取り外しできるため、通常状態において床部材１８ａ、１８ｂ間に大きな隙間や凹部を設ける必要がなく、フロア２の見栄えの向上を図ることもできる。
【００３５】
また、排水路２１上から一対の床部材１８ａ、１８ｂを取り外すことにより、洗浄用ホース２４を引き出して使用することができると共に、フロア２Ｂ上から給水装置２６の止水栓２６ｂが操作可能に配置されているため、洗浄用ホース２４の取り出しや散水のための操作が簡単となり、洗浄作業を一層容易かつ効率的に行うことが可能となる。
【００３６】
またさらに、ホース格納部２３に設けたホース保持部２５により、巻回等された洗浄ホース２４を排水路２１の排水性能を損なわない状態で所定位置に保持することができるため、格納された洗浄ホース２４が排水口２２方向に移動して排水口２２部分を塞ぐこと等がなくなると共に、洗浄ホース２４を格納した状態でも排水路２１の排水性能を所定に維持することが可能となる。
【００３７】
なお、上記実施形態においては、フロア２Ｂの床部材１８ａ、１８ｂを２分割構造とし、両床部材１８ａ、１８ｂを取り外した際に、ホース格納部２３がフロア２Ｂ上に露出して洗浄用ホース２４を引き出し可能としたが、例えばいずれか一方の床部材１８ａ、１８ｂを取り外した際に、洗浄ホース２４を引き出し可能に構成しても良いし、ホース格納部２３の位置も、排水路２１の排水口２２と床下点検口１９との間の底面に限らず、例えば排水路２１の側壁等のフロア２Ｂ下の適宜位置に設定することができる。
【００３８】
また、上記実施形態においては、フロア２Ｂの排水路２１上に蓋体１９と一対の床部材１８ａ、１８ｂを着脱可能に配置したが、例えば床部材を１枚もしくは３枚以上の床部材で形成しても良いし、フロア２自体の構成も、フロア２Ａとフロア２Ｂの２分割構造に限らず、３分割で構成したりあるいは１枚もので構成する等、本発明の各発明に係わる要旨を逸脱しない範囲において適宜に変更することができる。
【産業上の利用可能性】
【００３９】
本発明は、浴室ユニットが一体的に連結される洗面室ユニットに限らず、浴室ユニットとは別体で形成された洗面室ユニット等にも適用できる。
【図面の簡単な説明】
【００４０】
【図１】本発明に係わるフロア構造を採用した洗面室ユニットの内部斜視図
【図２】同その概略平面図
【図３】同図２のＡ−Ａ線に沿った分解斜視図
【図４】同その縦断面図
【図５】同図４のホース格納部の拡大図
【符号の説明】
【００４１】
１・・・洗面室ユニット、２・・・フロア、２Ａ・・・洗面化粧台設置フロア、２Ｂ・・・洗濯機設置フロア、９・・・洗面化粧台、１０・・・洗濯機、１７・・・洗濯機設置部、１７ａ・・・凹部、１８ａ、１８ｂ・・・床部材、１９・・・蓋体、２０・・・床下点検口、２１・・・排水路、２１ａ・・・蓋体装着部、２１ｂ・・・床部材装着部、２２・・・排水トラップ、２２ａ・・・排水口、２３・・・ホース格納部、２４・・・洗浄用ホース、２５・・・ホース保持部、２６・・・給水装置、２６ａ・・・給水口、２６ｂ・・・止水栓、２７・・・シャワーヘッド、３０・・・指挿入凹部、３１・・・点検蓋。
【図１】
2005207048.tif 000003
【図２】
2005207048.tif 000004
【図３】
2005207048.tif 000005
【図４】
2005207048.tif 000006
【図５】
2005207048.tif 000007